(57)【要約】      （修正有）【課題】ズボンを掛ける場合であってもハンガーによる跡がほとんど付かず、濡れたズボンを乾かすのにも適した衣服用ハンガーを提供する。【解決手段】本衣服用ハンガー１は、フック部５と、該フック部５から一方側の下方に向けて延在する斜辺部１１，２１と、該斜辺部１１，２１の下端から他方側に折り返されて略水平に延在し、他方側がフリーになっている水平吊掛棒１２，２２とをそれぞれ有する第一ハンガー本体１０及び第二ハンガー本体２０とを備え、フック部５は、第一ハンガー本体１０と第二ハンガー本体２０とを並行状態に連結支持する。【選択図】図４
0003167113.tif 000002
【実用新案登録請求の範囲】
【請求項１】
フック部と、
前記フック部から一方側の下方に向けて延在する斜辺部と、
前記斜辺部の下端から他方側に折り返されて略水平に延在し、他方側がフリーになっている水平吊掛棒と、をそれぞれ有する第一ハンガー本体及び第二ハンガー本体と、を備え、
前記フック部は、前記第一ハンガー本体と前記第二ハンガー本体とを並行状態に連結支持することを特徴とする衣服用ハンガー。
【請求項２】
前記フック部は、前記第一ハンガー本体の前記斜辺部と前記第二ハンガー本体の前記斜辺部とが下方に行くに従って徐々に間隔が開くように、前記第一ハンガー本体及び前記第二ハンガー本体を支持していることを特徴とする請求項１記載の衣服用ハンガー。
【請求項３】
前記フック部は、前記第一ハンガー本体及び第二ハンガー本体が固定される連結軸と、前記連結軸を回動可能に支持する支持体と、を備え、前記第一ハンガー本体及び前記第二ハンガー本体を鉛直面内で回動可能に支持することを特徴とする請求項１又は２記載の衣服用ハンガー。
【請求項４】
前記第一ハンガー本体及び前記第二ハンガー本体の前記水平吊掛棒の他方側の端部には、当該水平吊掛棒に通された衣服が抜けないように折り返された折返し部が形成されていることを特徴とする請求項１乃至３何れか１項に記載の衣服用ハンガー。
【考案の詳細な説明】
【技術分野】
【０００１】
本考案は、シャツやズボン等の衣服を掛けるためのハンガーに関し、特に、ベルト通しが付けられている衣服を掛けるのに適した衣服用ハンガーに関する。
【背景技術】
【０００２】
従来から、シャツ、ズボン、スカート等の衣服を掛けるための衣服用ハンガーが多数提供されており、標準的なハンガーは、偏平な略二等辺三角形の部材の頂点の部分にハンガーを吊すためのフックが付けられて構成されている。例えば、下記特許文献１にこのような標準型の衣服用ハンガーが開示されている。
【０００３】
一方、上述した標準的な衣服用ハンガーは、シャツ等の上着を掛けるには適しているが、ズボンを掛けるには、折り畳んだ状態で底辺の部分に吊すしかなく、ズボンに折り目がついてしまうといった問題があった。
【０００４】
このような問題を解決するため、下記特許文献２に開示されているようなハンガー（ボトムハンガー）も提供されている。特許文献２に開示されているハンガーは、ズボンの裾を挟むためのクリップ（ピンチクリップ）を二つ備えており、このクリップで重ねた状態の両足の裾を挟むことで、ズボンを逆さに吊すことができ、折り目が付くのを防止することができる。
【先行技術文献】
【特許文献】
【０００５】
【特許文献１】特開平８−２５６８９８号公報
【特許文献２】実用新案登録第３１４３７６８号公報
【考案の概要】
【考案が解決しようとする課題】
【０００６】
ところが、特許文献２に開示されている衣服用ハンガーであっても、ズボンの裾をクリップで挟むため、クリップ跡が裾についてしまう。
【０００７】
また、洗濯して濡れているズボンを乾かそうとする場合、上記特許文献１，２に開示された衣服用ハンガーでは、ズボンの両足を重ねて密着させた状態でハンガーに掛けるため、ズボンが乾きにくいといった問題もある。
【０００８】
本考案は、上記課題を解決するためになされたものであり、ズボンを掛ける場合であってもハンガーによる跡がほとんど付かず、濡れたズボンを乾かすのにも適した衣服用ハンガーを提供することを目的とする。
【課題を解決するための手段】
【０００９】
上記課題を解決するために、衣服用ハンガーは、フック部と、前記フック部から一方側の下方に向けて延在する斜辺部と、前記斜辺部の下端から他方側に折り返されて略水平に延在し、他方側がフリーになっている水平吊掛棒と、をそれぞれ有する第一ハンガー本体及び第二ハンガー本体と、を備え、前記フック部は、前記第一ハンガー本体と前記第二ハンガー本体とを並行状態に連結支持することを特徴とする。
【考案の効果】
【００１０】
本考案に係る衣服用ハンガーによれば、ズボンを掛ける場合であってもハンガーによる跡がほとんど付かず、また、濡れたズボンを掛ける場合であっても、ズボンの上部が広げられるので、両足部分の風通しを良くして素早く乾かすこともできる。
【図面の簡単な説明】
【００１１】
【図１】図１は、本実施形態に係る衣服用ハンガーの正面図である。
【図２】図２は、本実施形態に係る衣服用ハンガーの右側面図である。
【図３】図３は、本実施形態に係る衣服用ハンガーの平面図である。
【図４】図４は、本実施形態に係る衣服用ハンガーの斜視図である。
【図５】図５は、本実施形態に係る衣服用ハンガーにズボンを掛けた状態を示す斜視図である。
【考案を実施するための形態】
【００１２】
以下、図面を参照しながら、本考案の実施形態について詳細に説明する。図１は、本実施形態に係る衣服用ハンガーの正面図、図２は、本実施形態に係る衣服用ハンガーの右側面図、図３は、本実施形態に係る衣服用ハンガーの平面図、図４は、本実施形態に係る衣服用ハンガーの斜視図である。
【００１３】
図１乃至図４に示すように、衣服用ハンガー１は、フック部５、第一ハンガー本体１０、第二ハンガー本体２０を備える樹脂製のハンガーであり、第一ハンガー本体１０と第二ハンガー本体とは、フック部５によって並行状態に連結されている。
【００１４】
第一ハンガー本体１０は、斜辺部１１、水平吊掛棒１２を備えている。図１に示すように、斜辺部１１は、中心に位置するフック部５から一方側の下方（図１中、右下方向）へ向かって延在している。斜辺部１１の上端には、正面から見たときに上下に延在する鉛直部１１Ａが形成されており、第一ハンガー本体１０は、この斜辺部１１上端の鉛直部１１Ａにおいてフック部５に接続されている。
【００１５】
また、図２に表れているように、斜辺部１１は、下方に行くにしたがって、第二ハンガー本体２０と離れるように傾いており、側方から見たときに、第一ハンガー本体１０と第二ハンガー本体２０の斜辺部１１，２１は、ハの字に開いて見える。
【００１６】
水平吊掛棒１２は、斜辺部１１の下端から他方側（図１中、左側）へ折り返されて略水平に延在している。ここで、従来の標準的なハンガーであれば、二等辺三角形の長さの等しい二つの辺に相当する斜辺部が両側に設けられており、底辺に相当する水平棒の両側は、両斜辺部の下端に接続されて塞がっているため、水平棒だけを衣服等に通すことはできない。
【００１７】
これに対して、本実施形態では、斜辺部１１を片側だけに形成しており、水平吊掛棒１２の他方側は、斜辺部１１が存在しないフリーとなっており、この他方側から水平吊掛棒１２を衣服等に通すことが可能となっている。
【００１８】
また、水平吊掛棒１２の他方側の端部には、当該水平吊掛棒１２に通された衣服が抜けないように、上方から折り返された折返し部１３が形成されている。また、水平面において、水平吊掛部１２の長さは、斜辺部１１の長さの略倍の長さになっている。これにより、衣服用ハンガー１の重心がフック部５の略下方近くに位置することになり、中心に位置するフック部５を物干し竿等に引っ掛けることで、衣服用ハンガー１を安定して吊り下げることができる。
【００１９】
第二ハンガー本体２０は、第一ハンガー本体１０と同様の構成であり、斜辺部２１、水平吊掛棒２２を備えている。第一ハンガー本体１０と異なる点は、図１の正面図において、第一ハンガー本体１０は、下に向かうに従って手前側に来るように傾いているのに対して、第二ハンガー本体２０は、下に向かうに従って奥側に行くように傾いている点である。
【００２０】
フック部５は、フック６、支持筒体８及び連結軸９を備えている。連結軸９は、棒状の部材であり、両端にそれぞれ第一ハンガー本体１０の鉛直部１１Ａ、第二ハンガー２０の鉛直部２１Ａの上端が固定される。連結軸９は、中空円筒形状の支持筒体８の内部に回動自在に支持されている。また、支持筒体８の上面には、フック６が固定されており、このフック６により衣服用ハンガー１を所定の場所（物干し竿等）に引っ掛けて吊り下げることができる。
【００２１】
このように、連結軸９が支持筒体８に対して回動自在に支持されていることで、連結軸９に固定された第一ハンガー本体１０及び第二ハンガー本体２０が連結軸９の軸周り、すなわち、鉛直面内で並行状態のまま回動自在となる。よって、強風で吊したズボン等が揺れる場合には、第一ハンガー本体１０及び第二ハンガー本体２０が回動して力を逃がすことで、衣服用ハンガー１の破損やズボンが外れてしまうといったことを防止することができる。
【００２２】
以上、衣服用ハンガー１の構成について詳細に説明したが、続いて、この衣服用ハンガー１に洗濯後の濡れたズボン５０を吊り下げて干した状態について、図５を参照しながら説明する。図５は、衣服用ハンガー１にズボンを掛けた状態を示す斜視図である。
【００２３】
同図に示すように、第一ハンガー本体１０の水平吊掛棒１２をズボン５０の前側上縁部に付いているベルト通し５１に通し、第二ハンガー本体２０の水平吊掛棒２２をズボン５０の後側上縁部に付いているベルト通し５１に通すことで、上部を大きく開いた状態でズボン５０を衣服用ハンガー１に掛けることができる。
【００２４】
これにより、ズボン５０の内部にまで風通しを行うことができ、濡れたズボンを素早く乾かすことができる。また、本実施形態によれば、ズボン５０をベルト通し５１により衣服用ハンガー１に吊り掛けているため、ズボン５０を折ったり、挟んだりする必要がなく、型崩れを生じさせることもない。
【００２５】
また、第一ハンガー本体１０及び第二ハンガー本体２０の水平吊掛棒１２，２２の先端には、折返し部１３，２３が形成されており、強風等により、ズボン５０が水平吊掛棒１２，２２の先端側に流されたとしても、ベルト通し５１が折返し部１３，２３に引っ掛かることで、ズボン５０が水平吊掛棒１２，２２から抜けて落ちることを防ぐことができる。
【００２６】
以上、本実施形態について詳細に説明したが、本考案は上記実施形態に限定されるものではなく、本考案の主旨を逸脱しない範囲内で種々の変形が可能である。例えば、衣服用ハンガーを構成する部材の材料は適宜変更可能であり、例えば、樹脂製ではなく金属（針金等）製や木製、またはこれらの組み合わせとしても良い。
【００２７】
また、第一ハンガー本体の水平吊掛棒と第二ハンガー本体の水平吊掛棒とは、完全に平行でなくても良いのは言うまでもないが、ズボンの上部を大きく開いて吊り掛けるためには、両者の交差角が20°以下となる程度に略平行であることが望ましい。
【００２８】
また、上記実施形態では、ベルト通しが形成されたズボンを干す場合について説明したが、本衣服用ハンガーは、スカート等、種々の衣服を干すために使えるのは言うまでもない。
【符号の説明】
【００２９】
１        衣服用ハンガー
５        フック部
６        フック
８        支持筒体
９        連結軸
１０      第一ハンガー本体
１１      斜辺部
１２      水平吊掛棒
１３      折返し部
２０      第二ハンガー本体
２１      斜辺部
２２      水平吊掛棒
２３      折返し部
５０      ズボン
５１      ベルト通し
【図１】
0003167113.tif 000003
【図２】
0003167113.tif 000004
【図３】
0003167113.tif 000005
【図４】
0003167113.tif 000006
【図５】
0003167113.tif 000007